(57)【要約】【課題】  タグ用ラベルをバスケットの手提げ部分等に簡単に取り付けることができると共に、すでに手提げ部分等に取り付けられたタグ用ラベルが、他のバスケットの手提げ部分等に付け替えられるのを確実に防止できるようにする。【解決手段】  片面に粘着剤層11が設けられた帯状のラベル10を、片面に剥離層21が形成された帯状の剥離シート20における剥離層の上に剥離可能に貼付させ、このラベルの一端部を剥離シートの剥離層から剥離させて剥離層が形成されていない剥離シートの面に貼付させるタグ用ラベル1において、剥離シートにラベルを剥離させる方向と反対方向に突出した剥離抑止用切込み22を設けると共に、剥離シートの剥離層から剥離されるラベルの部分に切断用切込み12を設けた。【選択図】  図４
2010122544.tif 000002
【特許請求の範囲】
【請求項１】
片面に粘着剤層が設けられた帯状のラベルを、片面に剥離層が形成された帯状の剥離シートにおける剥離層の上に剥離可能に貼付させ、このラベルの一端部を剥離シートの剥離層から剥離させて剥離層が形成されていない剥離シートの面に貼付させるタグ用ラベルにおいて、上記の剥離シートにラベルを剥離させる方向と反対方向に突出した剥離抑止用切込みを設けると共に、この剥離シートの剥離層から剥離されるラベルの部分に切断用切込みを設けたことを特徴とするタグ用ラベル。
【請求項２】
請求項１に記載のタグ用ラベルにおいて、上記の剥離抑止用切込みを剥離シートの幅方向中央部に設けると共に、この剥離抑止用切込みの両側における剥離シートの部分に折り目線を設けたことを特徴とするタグ用ラベル。
【請求項３】
請求項１又は請求項２に記載のタグ用ラベルにおいて、剥離シートの剥離層から剥離されるラベルの部分に設ける切断用切込みとして、ラベルを剥離させる方向と交差する方向に波形状の切込みを設けたことを特徴とするタグ用ラベル。
【発明の詳細な説明】
【技術分野】
【０００１】
この発明は、バスケットの手提げ部分等に巻き掛けるようにして取り付けるタグ用ラベルに係り、特に、片面に粘着剤層が設けられた帯状のラベルを、片面に剥離層が形成された帯状の剥離シートにおける剥離層の上に剥離可能に貼付させ、このラベルの一部を剥離シートの剥離層から剥離させて剥離層が形成されていない剥離シートの面に貼付させるようにしたタグ用ラベルにおいて、このタグ用ラベルをバスケットの手提げ部分等に巻き掛けるようにして簡単に取り付けることができると共に、すでにバスケットの手提げ部分等に取り付けられたタグ用ラベルが、他のバスケットの手提げ部分等に付け替えられるのを確実に防止できるようにした点に特徴を有するものである。
【背景技術】
【０００２】
従来から、飛行機等の交通手段を用いてトランクやバッグ等の荷物を輸送する場合、トランクの取手部分やバッグの手提げ部分等にタグを巻き掛けるようにして取り付けることが行われている。
【０００３】
また、近年においては、スーパーマーケット等での買い物の際に、ビニール袋を使用せずに、個人用のバスケットを持参し、レジでこの個人用のバスケットの中に購入商品を詰め替えることが行われるようになっている。また、個人用のバスケットに顧客が商品を詰め、レジで精算した後、このバスケットをそのまま持ち帰るようにすることも計画されている。
【０００４】
そして、このように購入商品を個人用のバスケットに詰めるようにした場合において、すでに精算が終了しているかを明確にするため、購入商品を詰めた個人用のバスケットの手提げ部分等に精算済みを示すタグを取り付けることも検討されている。
【０００５】
ここで、従来においては、特許文献１に示されるように、一端部に貼着剤を付与したタグを手荷物の取手部分等に巻き掛け、このタグの一端部に設けられた貼着剤をタグの他方の端部に貼付させて、タグを手荷物の取手部分等に取り付けるようにしたものが用いられている。
【０００６】
しかし、このようにタグの一端部に設けられた貼着剤をタグの他方の端部に貼付させるようにしただけでは、上記の貼着剤によって貼付されたタグの他方の端部を剥離させることができ、このタグを他の手荷物等に付け替えたり、また精算が終了していない他のバスケットの手提げ部分等に精算済みを示すタグを付け替えたりされるおそれがあった。
【０００７】
また、従来においては、特許文献２に示されるように、タグの基材に熱融着性の基材を用い、或いはタグの基材の裏面に熱融着性物質を付与し、このタグを手荷物の取手部分等に巻き掛けた後、この基材における熱融着部を接合させて加熱融着させるようにしたものも提案されている。
【０００８】
しかし、このようにタグを手荷物の取手部分等に巻き掛けた後、この基材における熱融着部を接合させて加熱融着させるためには、加熱融着させるための加熱装置などが必要になり、タグを取り付ける作業が非常に面倒になると共に、コストも高くつくという問題があった。
【特許文献１】実開昭６０−１１０８６９号公報
【特許文献２】特開平７−５６５１３号公報
【発明の開示】
【発明が解決しようとする課題】
【０００９】
この発明は、バスケットの手提げ部分等に巻き掛けるようにしてタグを取り付ける場合における上記のような問題を解決することを課題とするものである。
【００１０】
すなわち、この発明において、片面に粘着剤層が設けられた帯状のラベルを、片面に剥離層が形成された帯状の剥離シートにおける剥離層の上に剥離可能に貼付させ、このラベルの一部を剥離シートの剥離層から剥離させて剥離層が形成されていない剥離シートの面に貼付させるようにしたタグ用ラベルを用い、このタグ用ラベルをバスケットの手提げ部分等に巻き掛けるようにして簡単に取り付けることができると共に、すでにバスケットの手提げ部分等に取り付けられたタグ用ラベルが、他のバスケットの手提げ部分等に付け替えられたりするのを確実に防止できるようにすることを課題とするものである。
【課題を解決するための手段】
【００１１】
この発明においては、上記のような課題を解決するため、片面に粘着剤層が設けられた帯状のラベルを、片面に剥離層が形成された帯状の剥離シートにおける剥離層の上に剥離可能に貼付させ、このラベルの一端部を剥離シートの剥離層から剥離させて剥離層が形成されていない剥離シートの面に貼付させるタグ用ラベルにおいて、上記の剥離シートにラベルを剥離させる方向と反対方向に突出した剥離抑止用切込みを設けると共に、この剥離シートの剥離層から剥離されるラベルの部分に切断用切込みを設けた。
【００１２】
ここで、上記のタグ用ラベルにおいて、上記の剥離シートにラベルを剥離させる方向と反対方向に突出した剥離抑止用切込みを設けるにあたっては、この剥離抑止用切込みを剥離シートの幅方向中央部に設けると共に、この剥離抑止用切込みの両側における剥離シートの部分にミシン目等の折り目線を設けるようにすることが好ましい。
【００１３】
また、上記のタグ用ラベルにおいて、剥離シートの剥離層から剥離されるラベルの部分に設ける切断用切込みは特に限定されないが、例えば、波形状の切込みを、ラベルを剥離させる方向と交差する方向に設けるようにすることができる。
【発明の効果】
【００１４】
この発明においては、片面に粘着剤層が設けられた帯状のラベルを、片面に剥離層が形成された帯状の剥離シートにおける剥離層の上に剥離可能に貼付させ、このラベルの一端部を剥離シートの剥離層から剥離させて剥離層が形成されていない剥離シートの面に貼付させるタグ用ラベルにおいて、剥離シートにラベルを剥離させる方向と反対方向に突出した剥離抑止用切込みを設けたため、この剥離抑止用切込みによりラベルの剥離が抑止されて、ラベルの一端部だけを剥離シートの剥離層から適切に剥離させることができ、ラベルの一端部を剥離シートの剥離層から剥離させて剥離層が形成されていない剥離シートの面に貼付させる作業が簡単に行えるようになる。
【００１５】
また、この発明においては、この剥離シートの剥離層から剥離されるラベルの部分に切断用切込みを設けたため、上記のようにラベルの一端部を剥離層が形成されていない剥離シートの面に貼付させた後、このように剥離層が形成されていない剥離シートの面に貼付させたラベルの一端部を剥離させる際には、ラベルがこの切断用切込みにおいて切断されるようになる。
【００１６】
このため、この発明のタグ用ラベルにおいては、このタグ用ラベルをバスケットの手提げ部分等に巻き掛けるようにして取り付けることが簡単に行えるようになると共に、このようにタグ用ラベルをバスケットの手提げ部分等に巻き掛けるようにして取り付けた後、このタグ用ラベルをバスケットの手提げ部分等から取り外す場合には、上記のようにラベルが切断用切込みにおいて切断され、このタグ用ラベルを他のバスケットの手提げ部分等に付け替えたりすることができなくなる。
【００１７】
また、この発明のタグ用ラベルにおいて、剥離シートにラベルを剥離させる方向と反対方向に突出した剥離抑止用切込みを設けるにあたり、上記のように剥離抑止用切込みを剥離シートの幅方向中央部に設けると共に、この剥離抑止用切込みの両側における剥離シートの部分にミシン目等の折り目線を設けると、この剥離抑止用切込みの両側における折り目線の部分において剥離シートを折り曲げて、ラベルの一端部を剥離シートにおける剥離抑止用切込みの部分まで剥離させることが簡単に行えるようになる。なお、この折り目線は、上記のミシン目に限られず、剥離シートの厚み方向にハーフカットされた切れ目等であってもよく、容易に剥離シートを折り曲げることができるものであればどのようなものであってもよい。
【００１８】
また、この発明のタグ用ラベルにおいて、剥離シートの剥離層から剥離させるラベルの部分に設ける切断用切込みとして、ラベルを剥離させる方向と交差する方向に波形状の切込みを設けると、上記のようにラベルの一部を剥離層が形成されていない剥離シートの面に貼付させた後、このように剥離層が形成されていない剥離シートの面に貼付させたラベルの部分を、ラベルの先端側及び反対側の何れの方向から剥離させるようにしても、ラベルがこの波形状の切込みの部分において切断されるようになり、タグ用ラベルが他のバスケットの手提げ部分等に付け替えられるのを確実に防止できるようになる。
【発明を実施するための最良の形態】
【００１９】
次に、この発明の実施形態に係るタグ用ラベルを添付図面に基づいて具体的に説明する。なお、この発明に係るタグ用ラベルは、特に下記の実施形態に示したものに限定されるものではなく、その要旨を変更しない範囲において適宜変更して実施できるものである。
【００２０】
この実施形態に係るタグ用ラベル１においては、図１〜図３に示すように、片面に粘着剤層１１が設けられた帯状のラベル１０を、片面に剥離層２１が形成された帯状の剥離シート２０における剥離層２０の上に剥離可能に貼付させるようにしている。
【００２１】
そして、このタグ用ラベル１においては、図１に示すように、剥離シート２０における剥離層２０から剥離させるラベル１０の一端側の部分に、切断用切込み１２として、ラベル１０を剥離させる方向と交差する方向に連続した波形状になった複数の切込みを設けている。
【００２２】
また、このタグ用ラベル１においては、図２に示すように、ラベル１０が剥離される剥離シート２０の端部側の部分において、この剥離シート２０の幅方向中央部にラベル１０を剥離させる方向と反対方向に溝形状に突出した剥離抑止用切込み２２を設けると共に、この剥離抑止用切込み２２の両側にミシン目２３からなる折り目線を設けている。
【００２３】
そして、このタグ用ラベル１をバスケット等の手提げ部分２に巻き掛けるようにして取り付けるにあたっては、図４に示すように、このタグ用ラベル１を手提げ部分２に通し、上記の剥離シート２０における剥離抑止用切込み２２の両側に設けられたミシン目２３に沿って剥離シート２０を折り曲げるようにすると共、上記のように切断用切込み１２が設けられたラベル１０の一端部を剥離シート２０の剥離層２０から剥離させるようにする。
【００２４】
ここで、このようにラベル１０の一端部を剥離シート２０の剥離層２０から剥離させるようにすると、剥離シート２０の幅方向中央部に設けられた剥離抑止用切込み２２の部分にラベル１０が貼付された状態で残り、ラベル１０の剥離がこの剥離抑止用切込み２２によって抑制され、剥離シート２０における切断用切込み１２及びミシン目２３の位置までラベル１０を適切に剥離させることができるようになる。
【００２５】
そして、このようにラベル１０の一端部を剥離シート２０の剥離層２０から剥離させたタグ用ラベル１を、図５に示すように、手提げ部分２に巻き掛けるようにして、剥離されたラベル１０の部分における粘着剤層１１を剥離層２１が形成されていない剥離シート２０の面に貼付させて、このタグ用ラベル１を手提げ部分２に巻き掛けて取り付けるようにする。なお、この実施形態においては、図５に示すように、ラベル１０の他端側に対向する剥離シート２０の部分に貼付させるようにしている。
【００２６】
このようにしてタグ用ラベル１を手提げ部分２に巻き掛けて取り付けた後、このタグ用ラベル１を手提げ部分２から取り外すにあたり、剥離層２１が形成されていない剥離シート２１の面に貼付されたラベル１０の一端部を剥離させるようにした場合、貼付されたラベル１０の先端側及び反対側の何れの方向から剥離させるようにしても、貼付されたラベル１０が上記の波形状になった切断用切込み１２の部分において切断されるようになり、このタグ用ラベル１を他のバスケット等の手提げ部分２に付け替えたりすることができなくなる。
【００２７】
なお、この実施形態に係るタグ用ラベル１においては、ラベル１０の一端側の部分に切断用切込み１２を設けるにあたり、ラベル１０を剥離させる方向と交差する方向に連続した波形状になった複数の切込みを設けるようにしたが、切断用切込み１２はこのようなものに限定されず、例えば、図６に示すように、ラベル１０を剥離させる方向と交差する方向に連続したジクザク状になった複数の切込みを設けるようにする等、様々な状態になった切断用切込み１２を設けることができる。
【００２８】
また、上記のようにラベル１０の一端側の部分に連続した波形状やジクザク状になった複数の切断用切込み１２を設けた場合、上記のラベル１０の厚みが薄くて、このような切断用切込み１２が設けられた部分におけるラベル１０の強度が弱くなると、上記のようにラベル１０の一端部を剥離シート２０の剥離層２０から剥離させる際に、この切断用切込み１２によってラベル１０が切断されるおそれがある。
【００２９】
このため、波形状になった切断用切込み１２として、図７に示すように、波形状になった切込みにおける山と谷の一部の切込みをなくして断続的な波形状等になった切込みを設けるようにすることも可能である。なお、このように波形状になった切込みにおける山と谷の一部の切込みをなくして断続的な波形状になった切断用切込み１２を設けるにあたり、山と谷のいずれか一方における切込みだけをなくした場合、上記のように剥離層２１が形成されていない剥離シート２１の面に貼付させたラベル１０の一端部を剥離させる際に、ラベル１０を特定の方向から剥離させた時に、貼付されたラベル１０が切断されなくなるおそれがあるため、図７に示すように、山の一部の切込みがない断続的な波形状の切断用切込み１２ａと、谷の一部の切込みがない断続的な波形状の切断用切込み１２ｂとを組み合わせて設けるようにすることが好ましい。
【００３０】
また、この実施形態に係るタグ用ラベル１においては、ラベル１０が剥離される剥離シート２０の端部側の部分において、この剥離シート２０に剥離抑止用切込み２２を設けるにあたり、剥離シート２０の幅方向中央部にラベル１０を剥離させる方向と反対方向に溝形状に突出した剥離抑止用切込み２２を設けるようにしたが、この剥離抑止用切込み２２を剥離シート２０の幅方向片側に設けるようにしたり、またラベル１０を剥離させる方向と反対方向に突出させる剥離抑止用切込み２２の形状を変更させるようにしたりすることも可能である。
【００３１】
そして、このようにラベル１０を剥離させる方向と反対方向に突出させる剥離抑止用切込み２２の形状を変更させるにあたっては、例えば、図８に示すように、上記の剥離抑止用切込み２２の幅がラベル１０の剥離方向と反対方向に向かって広がるように形成したり、図９に示すように、上記の剥離抑止用切込み２２の幅がラベル１０の剥離方向に向かって広がるように形成したりすることができ、また突出させる部分の形状を半円状等に変更させることもできる。
【図面の簡単な説明】
【００３２】
【図１】本発明の一実施形態に係るタグ用ラベルの概略平面図である。
【図２】上記の実施形態に係るタグ用ラベルの概略底面図である。
【図３】上記の実施形態に係るタグ用ラベルにおいて、ラベルを剥離シートにおける剥離層の上に剥離可能に貼付させた状態を示した部分拡大断面図である。
【図４】上記の実施形態に係るタグ用ラベルをバスケット等の手提げ部分に巻き掛けるようにして取り付けるにあたり、タグ用ラベルを手提げ部分に通して、ラベルの一端部を剥離シートの剥離層から剥離させた状態を示した概略説明図である。
【図５】上記の実施形態に係るタグ用ラベルをバスケット等の手提げ部分に巻き掛けるようにして取り付けた状態を示した概略説明図である。
【図６】上記の実施形態に係るタグ用ラベルにおいて、ラベルの一端側の部分に設ける切断用切込みの状態を変更させた第１の変更例の部分平面図である。
【図７】上記の実施形態に係るタグ用ラベルにおいて、ラベルの一端側の部分に設ける切断用切込みの状態を変更させた第２の変更例の部分平面図である。
【図８】上記の実施形態に係るタグ用ラベルにおいて、ラベルが剥離される剥離シートの端部側の部分に設ける剥離抑止用切込みの状態を変更させた第３の変更例の部分底面図である。
【図９】上記の実施形態に係るタグ用ラベルにおいて、ラベルが剥離される剥離シートの端部側の部分に設ける剥離抑止用切込みの状態を変更させた第４の変更例の部分底面図である。
【符号の説明】
【００３３】
１  タグ用ラベル
２  手提げ部分
１０  ラベル
１１  粘着剤層
１２，１２ａ，１２ｂ  切断用切込み
２０  剥離シート
２１  剥離層
２２  剥離抑止用切込み
２３  ミシン目（折り目線）
【図１】
2010122544.tif 000003
【図２】
2010122544.tif 000004
【図３】
2010122544.tif 000005
【図４】
2010122544.tif 000006
【図５】
2010122544.tif 000007
【図６】
2010122544.tif 000008
【図７】
2010122544.tif 000009
【図８】
2010122544.tif 000010
【図９】
2010122544.tif 000011